(57)【要約】【課題】空間的に仕切られた異なる領域に設置された機器間の通信を簡易な構成で実現できる無線通信システムを提供する。【解決手段】無線通信システムでは、データを送信する送信機、データを受信する受信機、及びデータを中継する中継機が無線通信する。送信機は、受信機の子機として通信するための第１の子機識別情報を用いて、受信機との間で無線通信する。受信機は、送信機の親機として通信するための第１の親機識別情報を用いて、送信機との間で無線通信し、中継機の子機として通信するための第２の子機識別情報を用いて、中継機との間で無線通信する。中継機は、受信機の親機として通信するための第２の親機識別情報を用いて、受信機との間で無線通信する。【選択図】図２
2015162899.tif 000002
【特許請求の範囲】
【請求項１】
データを送信する送信機、データを受信する受信機、及びデータを中継する中継機が各々の識別情報を交換することにより無線通信する無線通信システムであって、
前記送信機は、前記受信機の子機として通信するための第１の子機識別情報を用いて、前記受信機との間で無線通信する第１の通信部を備え、
前記受信機は、前記送信機の親機として通信するための第１の親機識別情報を用いて、前記送信機との間で無線通信し、前記中継機の子機として通信するための第２の子機識別情報を用いて、前記中継機との間で無線通信する第２の通信部を備え、
前記中継機は、前記受信機の親機として通信するための第２の親機識別情報を用いて、前記受信機との間で無線通信する第３の通信部を備える、無線通信システム。
【請求項２】
請求項１に記載の無線通信システムであって、
前記第１の親機識別情報は、前記第２の親機識別情報と共通の親機情報を有し、前記第１の子機識別情報は、前記第２の子機識別情報と共通の子機情報を有し、前記親機情報と前記子機情報は、前記送信機により判別可能な情報を含む、無線通信システム。
【請求項３】
請求項１または２に記載の無線通信システムであって、
前記無線通信は、時分割方式の無線通信であり、
前記受信機は、各送信機との間で同期をとる第１の同期部を備え、
前記中継機は、各受信機との間で同期をとる第２の同期部を備える、無線通信システム。
【請求項４】
請求項３に記載の無線通信システムであって、
前記受信機の前記第２の通信部は、前記受信機に無線接続された各送信機に対して、スロットの同期をとるための複数の制御データを一括で送信し、
前記中継機の前記第３の通信部は、前記中継機に無線接続された各受信機に対して、スロットの同期をとるための複数の制御データを一括で送信する、無線通信システム。
【請求項５】
請求項４に記載の無線通信システムであって、
前記受信機の前記第２の通信部は、前記受信機に無線接続された送信機に対して、前記制御データと情報データとが結合された結合データを送信し、
前記制御データは、前記情報データの送信先の情報を含む、無線通信システム。
【請求項６】
請求項１ないし５のいずれか１項に記載の無線通信システムであって、
前記受信機の前記第２の通信部は、所定の位置のスロットを用いてデータを通信し、
前記スロットは、周期的に送信スロットと受信スロットとを反復して含み、
前記受信機の前記第２の通信部は、一部の送信スロットを受信スロットに反転し、又は一部の受信スロットを送信スロットに反転し、反転されたスロットを用いて、前記中継機との間でデータを通信する、無線通信システム。
【請求項７】
請求項６に記載の無線通信システムであって、
前記中継機を介して、複数の前記受信機との間でデータを同報通信する情報処理装置を備え、
前記受信機の前記第２の通信部は、一部の送信スロットを同報通信用の受信スロットに反転し、反転されたスロットを用いて、前記中継機からデータを同報受信する、又は、前記中継機の前記第３の通信部は、一部の受信スロットを同報通信用の送信スロットに反転し、反転されたスロットを用いて、複数の受信機に対してデータを同報送信する、無線通信システム。
【請求項８】
請求項６に記載の無線通信システムであって、
前記受信機の前記第２の通信部は、一部の受信スロットを送信スロットに反転し、反転されたスロットを用いて、前記中継機に情報データを送信し、
前記中継機の前記第３の通信部は、送信スロットを用いて、前記受信機に前記情報データを送信する、無線通信システム。
【請求項９】
請求項１ないし８のいずれか１項に記載の無線通信システムであって、
前記受信機の前記第２の通信部は、前記送信機から前記データを受信し、前記中継機から前記データに対する処理方法の指示を受信し、
前記受信機は、前記処理方法の指示に応じて、前記送信機からのデータを処理する制御部を備える、無線通信システム。
【請求項１０】
請求項１ないし９のいずれか１項に記載の無線通信システムであって、
前記データは、音声データ又は画像データを含む、無線通信システム。
【請求項１１】
請求項１ないし１０のいずれか１項に記載の無線通信システムであって、
前記受信機は、空間的に仕切られた領域毎に１台設置され、
前記中継機は、複数の前記受信機に対して１台設置された、無線通信システム。
【請求項１２】
データを送信する送信機及びデータを中継する中継機に無線接続され、データを送受信する通信機であって、
前記送信機の親機として通信するための親機識別情報を用いて、前記送信機との間で無線通信し、前記中継機の子機として通信するための子機識別情報を用いて、前記中継機との間で無線通信する通信部を備え、前記親機識別情報と子機識別情報は、異なる情報である、通信機。
【発明の詳細な説明】
【技術分野】
【０００１】
本発明は、無線通信システム及び通信機に関する。
【背景技術】
【０００２】
従来、赤外線を用いたマイクシステムが知られている（例えば、特許文献１参照）。このマイクシステムでは、赤外線マイクからの光を受光する複数の受光センサが設けられ、複数の受光センサの出力端に、それぞれミキシング抵抗の一端が接続され、他端が共通に接続される。この他端が共通に接続されたケーブルが受信機のセンサ入力端子に接続されることで、受光センサ及び受信機間のケーブル配線が１本で済む。
【先行技術文献】
【特許文献】
【０００３】
【特許文献１】特開２００２−２２３４９１号公報
【発明の概要】
【発明が解決しようとする課題】
【０００４】
特許文献１のマイクシステムでは、赤外線を用いて行うため、空間的に仕切られた異なる領域（例えば異なる教室）毎に赤外線マイク及び受光センサが必要であり、中央管理室等で異なる領域に存在する機器すべてを管理する場合、すべての異なる領域毎に配線が必要であり、それぞれの領域に設置された機器間の通信を簡易な構成で実現することが困難であった。
【０００５】
本発明は、上記事情に鑑みてなされたものであり、空間的に仕切られた異なる領域に設置された機器間の通信を簡易な構成で実現できる無線通信システム及び通信機を提供する。
【課題を解決するための手段】
【０００６】
本発明の無線通信システムは、データを送信する送信機、データを受信する受信機、及びデータを中継する中継機が各々の識別情報を交換することにより無線通信する無線通信システムであって、前記送信機は、前記受信機の子機として通信するための第１の子機識別情報を用いて、前記受信機との間で無線通信する第１の通信部を備え、前記受信機は、前記送信機の親機として通信するための第１の親機識別情報を用いて、前記送信機との間で無線通信し、前記中継機の子機として通信するための第２の子機識別情報を用いて、前記中継機との間で無線通信する第２の通信部を備え、前記中継機は、前記受信機の親機として通信するための第２の親機識別情報を用いて、前記受信機との間で無線通信する第３の通信部を備える。
【０００７】
本発明の通信機は、データを送信する送信機及びデータを中継する中継機に無線接続され、データを送受信する通信機であって、前記送信機の親機として通信するための親機識別情報を用いて、前記送信機との間で無線通信し、前記中継機の子機として通信するための子機識別情報を用いて、前記中継機との間で無線通信する通信部を備え、前記親機識別情報と子機識別情報は、異なる情報である。
【発明の効果】
【０００８】
本発明によれば、空間的に仕切られた異なる領域に設置された機器間の通信を簡易な構成で実現できる。
【図面の簡単な説明】
【０００９】
【図１】実施形態におけるマイクシステムの概略的な構成例を示す模式図
【図２】実施形態におけるマイクシステムの各装置の構成例を示すブロック図
【図３】（Ａ）〜（Ｃ）実施形態におけるＩＤ（Ｉｄｅｎｔｉｆｉｅｒ）の構成例を示す模式図
【図４】実施形態におけるマイクの登録動作手順の一例を示すフローチャート
【図５】実施形態における待機時のスロット構成例を示すタイミングチャート
【図６】（Ａ）〜（Ｃ）ＣＣＨ（ｃｏｎｔｒｏｌ  ｃｈａｎｎｅｌ）データの構成例を示す模式図
【図７】実施形態における教室拡声する場合の音声データの流れの一例を示す模式図
【図８】実施形態における１本のマイクを使用する教室拡声時のスロット構成例を示すタイミングチャート
【図９】実施形態における２本のマイクを使用する教室拡声時のスロット構成例を示すタイミングチャート
【図１０】実施形態における簡易放送する場合の音声データの流れの一例を示す模式図
【図１１】実施形態における簡易放送時のスロット構成例を示すタイミングチャート
【図１２】実施形態における簡易放送時の同報スロットの補足を示すタイミングチャート
【図１３】実施形態における簡易放送時の他のスロット構成例を示すタイミングチャート
【図１４】実施形態におけるインターカムを行う場合の音声データの流れの一例を示す模式図
【図１５】実施形態におけるインターカム時のスロット構成例を示すタイミングチャート
【図１６】実施形態における教室拡声中の簡易放送の流れの一例を示すシーケンス図
【図１７】実施形態における教室拡声から簡易放送に遷移する場合のスロット構成例を示すタイミングチャート
【図１８】実施形態における簡易放送から教室拡声に復帰する場合のスロット構成例を示すタイミングチャート
【図１９】実施形態における教室拡声中のインターカムの流れの一例を示すシーケンス図
【図２０】実施形態における教室拡声からインターカムに遷移する場合のスロット構成例を示すタイミングチャート
【図２１】実施形態におけるインターカムから教室拡声に復帰する場合のスロット構成例を示すタイミングチャート
【発明を実施するための形態】
【００１０】
以下、本発明の実施形態について、図面を用いて説明する。
【００１１】
以下の実施形態の無線通信システムは、例えば、複数の教室に亘って設置されたマイクシステム（収音システム）に適用される。教室は、空間的に仕切られた領域の一例である。なお、空間的に仕切られた領域とは、壁等の遮蔽物に区切られた領域のことであり、例えば赤外線等はこの遮蔽物によって領域外に通信できない。
【００１２】
図１は、実施形態におけるマイクシステム５の概略的な構成例を示す模式図である。マイクシステム５は、各教室に設置された複数の拡声システム５０、複数のＤＥＣＴ＿ＡＰ３０、及びメインコントローラ４０を含んで構成される。
【００１３】
ＤＥＣＴ（Ｄｉｇｉｔａｌ  Ｅｎｈａｎｃｅｄ  Ｃｏｒｄｌｅｓｓ  Ｔｅｌｅｃｏｍｍｕｎｉｃａｔｉｏｎｓ）＿ＡＰ（Ａｃｃｅｓｓ  Ｐｏｉｎｔ）３０は、データを中継する中継機の一例であり、アクセスポイントの一例である。
【００１４】
例えば、１つの教室を１つのグループとし、拡声システム５０は、グループ毎に設置される。拡声システム５０は、複数のマイク（マイクロホン）１０、受信機２０、アンプ２６及びスピーカ２７を含んで構成される。マイク１０は、データを送信する送信機の一例である。尚、１つの教室に複数のグループを設けてもよい。
【００１５】
複数のマイク１０を個々に区別する場合、以下のように符号を付す。例えば、教室１ｎに設置されるマイク１０を、マイク１１ｎ１〜１１ｎｎとする。先頭の番号「１」は、マイクであることを表す。２番目及び３番目の番号「１ｎ」は、教室の番号を表す。４番目の番号「１」〜「ｎ」はマイクの番号を表す。
【００１６】
受信機２０を個々に区別する場合、以下のように符号を付す。受信機２０は、例えば、各教室に１台ずつ設置される。教室０１，１ｎ，ｎ１，ｎｎに設置される受信機を、それぞれ受信機２０１，２１ｎ，２ｎ１，２ｎｎとする。先頭の番号「２」は、受信機であることを表す。２番目及び３番目の番号は、教室の番号を表す。
【００１７】
複数のＤＥＣＴ＿ＡＰ３０は、例えば、教室外（例えば廊下）に設置される。ここでは、ｍ台のＤＥＣＴ＿ＡＰ３０が設置され、個々には、ＤＥＣＴ＿ＡＰ３０１からＤＥＣＴ＿ＡＰ３０ｍとして区別される。
【００１８】
例えば、教室０１〜０ｎにそれぞれ設置された複数の受信機２０１〜２０ｎと、１台のＤＥＣＴ＿ＡＰ３０１と、が接続される。教室ｎ１〜ｎｎにそれぞれ設置された複数の受信機２ｎ１〜２ｎｎと、１台のＤＥＣＴ＿ＡＰ３０ｍと、が接続される。即ち、各ＤＥＣＴ＿ＡＰ３０には、接続される台数分の受信機２０のＩＤ（Ｉｄｅｎｔｉｆｉｅｒ）が登録される。ＩＤは、識別情報の一例である。
【００１９】
ＤＥＣＴ＿ＡＰ３０にＩＤが登録される受信機２０は、ＤＥＣＴの子機としてのＩＤを持つ。
【００２０】
複数のＤＥＣＴ＿ＡＰ３０は、ＬＡＮ（Ｌｏｃａｌ  Ａｒｅａ  Ｎｅｔｗｏｒｋ）ケーブル３５０を介して、管理者室に設置されたメインコントローラ４０に接続される。メインコントローラ４０は、情報処理装置の一例である。
【００２１】
後述する簡易放送（例えば校内放送）が行われる場合、音声データは、メインコントローラ４０からＤＥＣＴ＿ＡＰ３０に送られ、ＤＥＣＴ＿ＡＰ３０から受信機２０に送られると、受信機２０に接続されたスピーカ２７から教室内に音声が発せられる。この場合、メインコントローラ４０の制御部４５（図２参照）は、例えば、音声を流さない教室には、音声データを送らないように制御可能である。つまり、メインコントローラ４０は、簡易放送の対象となる教室に設置された受信機を指定できる。
【００２２】
各マイクは、同一の仕様を有するので、特に区別する必要が無い場合、マイク１０として説明する。各受信機は、同一の仕様を有するので、特に区別する必要が無い場合、受信機２０として説明する。各ＤＥＣＴ＿ＡＰは、同一の仕様を有するので、特に区別する必要が無い場合、ＤＥＣＴ＿ＡＰ３０として説明する。
【００２３】
マイク１０と受信機２０との間で行われる通信の通信方式には、時分割方式が用いられる。時分割方式は、例えば、時分割多元接続（ＴＤＭＡ：Ｔｉｍｅ  Ｄｉｖｉｓｉｏｎ  Ｍｕｌｔｉｐｌｅ  Ａｃｃｅｓｓ）を含む。時分割方式を用いた通信には、例えば、ＤＥＣＴ（Ｄｉｇｉｔａｌ  Ｅｎｈａｎｃｅｄ  Ｃｏｒｄｌｅｓｓ  Ｔｅｌｅｃｏｍｍｕｎｉｃａｔｉｏｎｓ）が用いられる。
【００２４】
ＤＥＣＴの通信方式では、通常、ある通信スロット（単に「スロット」ともいう）をマイク１０が使用中である場合、他のマイクは同じスロットを使用しない。本実施形態では、１つの受信機２０が２本のマイク１０を接続可能とすることを例示する。１つの受信機２０は、２本以上接続されてもよく、マイクの接続本数は、例えば受信機２０のＣＰＵ（Ｃｅｎｔｒａｌ  Ｐｒｏｃｅｓｓｉｎｇ  Ｕｎｉｔ）の能力に依存する。
【００２５】
マイク１０は、例えばＤＥＣＴの子機として受信機２０にＩＤが登録される。マイク１０の登録先となる受信機２０は、ＤＥＣＴの親機としてのＩＤ（親機側識別情報）を持つ。
【００２６】
図２は、マイクシステム５の構成例を示すブロック図である。マイクシステム５は、複数の拡声システム５０、複数のＤＥＣＴ＿ＡＰ３０、及びメインコントローラ４０を含んで構成される。
【００２７】
拡声システム５０は、例えば教室毎に設置され、複数のマイク１０、受信機２０、アンプ２６及びスピーカ２７を備える。アンプ２６及びスピーカ２７の少なくとも一方は、受信機２０が備えてもよいし、受信機２０とは別に設けられてもよい。
【００２８】
マイク１０は、アンテナ１１、無線制御部１２、音声処理部１３、音声入力部１４、制御部１５、及び操作表示部１８を有する。各マイク１０は、同様の構成を有する。
【００２９】
無線制御部１２は、アンテナ１１を介して受信機２０と無線接続し、無線通信する。無線制御部１２は、第１の通信部の一例である。
【００３０】
音声処理部１３は、音声入力部１４から入力される音声信号を処理する。本実施形態では、「音声」は人が発した声に限られず、楽器の音、ブザー音等、広く音を含む。
【００３１】
制御部１５は、例えば、ＣＰＵ（Ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）を有する。例えば、ＣＰＵは、ＲＯＭに記憶されたプログラムを実行することで、制御部１５の各機能を実現する。
【００３２】
制御部１５は、マイク１０の全体を制御する。制御部１５は、記憶部１５ａを有し、ここに自身の識別番号（ＩＤ）を記憶する。そして、このＩＤは登録の際、受信機２０に子機ＩＤとして登録される。また、記憶部１５ａは、登録処理により、登録される受信機２０のＩＤ（親機としてのＩＤ）を記憶する。
【００３３】
操作表示部１８は、例えば、操作者によって操作される登録ボタン１８ａ、通話開始の操作に用いられる通話ボタン１８ｂ、各種情報の報知を行うＬＥＤ（Ｌｉｇｈｔ  Ｅｍｉｔｔｉｎｇ  Ｄｉｏｄｅ）１８ｃ、を有する。
【００３４】
受信機２０は、アンテナ２１、無線制御部２２、音声処理部２３、音声出力部２４、制御部２５、及び操作部２８を有する。
【００３５】
無線制御部２２は、アンテナ２１を介して、ＤＥＣＴ＿ＡＰ３０及びマイク１０と無線接続し、無線通信する。無線制御部２２は、例えば、スロットの反転動作を行う。無線制御部２２は、第２の通信部の一例である。
【００３６】
音声処理部２３は、無線制御部２２を介して取得した音声信号を処理し、音声出力部２４に出力する。音声出力部２４は、音声処理部２３からの音声信号をアンプ２６に出力する。
【００３７】
アンプ２６は、音声出力部２４からの音声信号を増幅する。スピーカ２７は、アンプ２６からの音声信号を発音（音声出力）する。操作部２８は、各種操作を受け付ける。操作部２８は、例えば、登録ボタン２８ａを有し、受信機２０の操作者による登録操作等を受け付ける。
【００３８】
制御部２５は、例えば、ＣＰＵ、ＲＯＭ、ＲＡＭを有する。例えば、ＣＰＵは、ＲＯＭに記憶されたプログラムを実行することで、制御部２５の各機能を実現する。
【００３９】
制御部２５は、受信機２０の全体を制御する。制御部２５は、マイク１０との接続を制御し、親機としてのＩＤを記憶部２５ａに記憶するマイク側制御部２５Ａを有する。また、記憶部２５ａは、登録処理により、受信機２０に登録されるマイク１０のＩＤ（子機としてのＩＤ）を記憶する。
【００４０】
制御部２５は、ＤＥＣＴ＿ＡＰ３０との接続を制御し、子機としてのＩＤを記憶部２５ｂに記憶するＡＰ側制御部２５Ｂを有する。また、記憶部２５ｂは、登録処理により、に登録されるＤＥＣＴ＿ＡＰ３０のＩＤ（親機としてのＩＤ）を記憶する。
【００４１】
制御部２５は、例えば、動作モードを設定し、動作モードに基づいてデータを処理する。例えば、制御部２５は、動作モードに応じて、音声データの受信先及び送信先、音声データの再生及び出力の要否等を決定する。動作モードは、例えば、後述する教室拡声、簡易放送、及びインターカムを含む。
【００４２】
また、制御部２５は、受信機２０に登録された各マイク１０との間で同期をとる第１の同期部としての機能を有する。
【００４３】
ＤＥＣＴ＿ＡＰ３０は、アンテナ３１、無線制御部３２、制御部３５、及びネットワークＩ／Ｆ３８を有する。
【００４４】
無線制御部３２は、アンテナ３１を介して、受信機２０と無線接続し、無線通信する。無線制御部３２は、第３の通信部の一例である。無線制御部３２は、例えば、各受信機２０の間で同期をとるために、所定の（例えば最初の）スロットで、ＣＣＨ（ｃｏｎｔｒｏｌ  ｃｈａｎｎｅｌ）信号を送信する。
【００４５】
制御部３５は、例えば、ＣＰＵ、ＲＯＭ、ＲＡＭを有する。例えば、ＣＰＵは、ＲＯＭに記憶されたプログラムを実行することで、制御部３５の各機能を実現する。
【００４６】
制御部３５は、ＤＥＣＴ＿ＡＰ３０の全体を制御する。制御部３５は、受信機２０との接続を制御し、親機としてのＩＤを記憶部３５ａに記憶する制御部３５Ａを有する。また、記憶部３５ａは、登録処理により、ＤＥＣＴ＿ＡＰ３０に登録される受信機２０のＩＤ（子機としてのＩＤ）を記憶する。
【００４７】
制御部３５は、ネットワークを介してメインコントローラ４０との接続を制御し、所定の識別情報（例えばＭＡＣアドレス）をＩＤとして記憶部３５ｂに記憶するネットワーク側制御部３５Ｂを有する。
【００４８】
また、制御部３５は、ＤＥＣＴ＿ＡＰ３０に登録された各受信機２０との間で同期をとる第２の同期部としての機能を有する。
【００４９】
ネットワークＩ／Ｆ（Ｉｎｔｅｒｆａｃｅ）３８は、ＬＡＮケーブル３５０を介してメインコントローラ４０と接続される。尚、ＬＡＮケーブル３５０を介さず、メインコントローラ４０との間で無線ＬＡＮ通信等による無線通信がされてもよい。
【００５０】
メインコントローラ４０は、ネットワークＩ／Ｆ４２、音声処理部４３、音声出力部４４、及び制御部４５を有する。
【００５１】
ネットワークＩ／Ｆ４２は、ＬＡＮケーブル３５０を介してＤＥＣＴ＿ＡＰ３０と接続される。尚、ＬＡＮケーブル３５０を介さず、ＤＥＣＴ＿ＡＰ３０との間で無線ＬＡＮ通信等による無線通信がされてもよい。
【００５２】
制御部４５は、ネットワークを介してＤＥＣＴ＿ＡＰ３０との接続を制御する。制御部４５は、例えば、ＣＰＵ、ＲＯＭ、ＲＡＭを有する。例えば、ＣＰＵは、ＲＯＭに記憶されたプログラムを実行することで、制御部４５の各機能を実現する。
【００５３】
音声処理部４３は、マイク４８から入力される音声信号を処理し、音声出力部４４に出力する。
【００５４】
音声出力部４４は、音声処理部４３からの音声信号をアンプ４６に出力する。アンプ４６は、音声出力部４４からの音声信号を増幅する。スピーカ４７は、アンプ４６からの音声信号を発音（音声出力）する。マイク４８は、例えば、簡易放送又はインターコムを行う際、管理者室に所在する管理者の音声を入力する。
【００５５】
図３（Ａ）〜（Ｃ）は、各機器のＩＤの構成例を示す模式図である。
【００５６】
図３（Ａ）は、ＤＥＣＴ＿ＡＰ３０のＩＤの構成例を示す。ＤＥＣＴ＿ＡＰ３０のＩＤは、クラス種別やメーカコードの情報を含む親機側のＩＤ、グループを表すグループＩＤ、及びＤＥＣＴ＿ＡＰ３０固有の識別ＩＤを含んで構成される。ＤＥＣＴ＿ＡＰ３０のＩＤのグループＩＤは、例えば、ＤＥＣＴ＿ＡＰ３０であることを表す値０を末尾に含む。
【００５７】
図３（Ｂ）は、受信機２０の親機としてのＩＤの構成例を示す。受信機２０の親機としてのＩＤは、クラス種別やメーカコードの情報を含む親機側のＩＤ、グループを表すグループＩＤ、及び受信機２０固有の識別ＩＤを含んで構成される。受信機２０のＩＤのグループＩＤは、例えば、受信機２０であることを表す値１を末尾に含む。
【００５８】
図３（Ｃ）は、受信機２０の子機としてのＩＤ及びマイク１０のＩＤの構成例を示す。このＩＤは、タイプ種別やメーカコードの情報を含む子機側のＩＤ、及び受信機２０固有又はマイク１０固有の識別ＩＤを含んで構成される。
【００５９】
マイク１０の制御部１５は、例えばＤＥＣＴ通信に用いられる電波を受信すると、グループＩＤの末尾が値１である場合、受信機２０からの電波であると判断し、グループＩＤの末尾が値０である場合、ＤＥＣＴ＿ＡＰ３０からの電波であると判断する。
【００６０】
このように、マイク１０から見た場合、グループＩＤの末尾を確認するだけで、受信機２０とＤＥＣＴ＿ＡＰ３０と区別が簡単にできる。従って、例えば、マイク１０が受信機２０をサーチする場合、迅速に受信機２０を検出できる。
【００６１】
尚、グループは、事前に設定しておき、例えば、工場出荷時などに予め設定済みである。
【００６２】
次に、マイクシステム５の動作例について説明する。
【００６３】
図４は、マイク１０による登録動作手順の一例を示すフローチャートである。マイク１０は、例えば、充電コード（充電台）が接続されて充電されている状態から、充電コードが抜かれた際に起動し、本動作を実行する。尚、充電コードが抜かれた際に限らず、本動作が実行されてもよい。例えば、登録ボタン１８ａの操作が行われた際に、本動作が行われてもよい。
【００６４】
まず、制御部１５は、登録動作であるか否かを判別する（Ｓ１）。登録動作では、受信機２０及びマイク１０のＩＤが相互に交換され、相互の記憶部２５ａ，１５ａに記憶される。登録動作であるか否かは、例えば、制御部１５が記憶部１５ａを参照し、受信機２０のＩＤが記憶部１５ａに記憶（登録）されているか否かに基づいて判断される。制御部１５は、登録動作である場合、例えば受信機２０のＩＤが記憶部１５ａに登録されていない場合、受信機２０の探索（サーチ）を開始する（Ｓ２）。
【００６５】
無線制御部１２は、受信機２０のサーチにおいて、電波を検出したか否かを判別する（Ｓ３）。
【００６６】
電波が検出された場合、制御部１５は、検出された電波に含まれるＩＤが受信機２０のＩＤであるか否かを判別する（Ｓ４）。制御部１５は、前述したＩＤ（図３（Ａ），（Ｂ）参照）が用いられる場合、例えばグループＩＤの末尾が値１である場合、受信機２０のＩＤであると判断する。一方、制御部１５は、例えばグループＩＤの末尾が値０である場合、マイク１０は、ＤＥＣＴ＿ＡＰ３０のＩＤであると判断する。
【００６７】
制御部１５は、検出された受信機２０が登録モードであるか否かを判別する（Ｓ５）。登録モードであるか否かは、例えば受信機２０において操作部２８の登録ボタンが押され、受信機２０から所定の登録用の信号が送信されているか否かに基づいて判断される。
【００６８】
登録モードである場合、マイク１０は、受信機２０との間で登録動作を行う（Ｓ６）。この登録動作では、相互にＩＤが交換され、ＩＤが登録される。即ち、マイク１０では、無線制御部１２が、受信機２０の親機側のＩＤを取得して、制御部１５の記憶部１５ａに記憶する。一方、受信機２０では、無線制御部２２が、マイク１０のＩＤを取得して、マイク側制御部２５Ａの記憶部２５ａに記憶する。
【００６９】
制御部１５は、例えば、登録された受信機２０からのＣＣＨ通信スロットを用いて送信されるＣＣＨデータに基づいて同期するように、同期捕捉する（Ｓ７）。この後、マイク１０は、本動作を終了する。
【００７０】
Ｓ３において電波が検出されない場合、Ｓ４においてＩＤが受信機２０のＩＤでない場合、又はＳ５において受信機２０が登録モードでない場合、マイク１０は、Ｓ２の処理に戻り、別の受信機２０のサーチを行う。
【００７１】
一方、Ｓ１において登録動作でない場合、例えば、マイク１０が既にいずれかの受信機２０のＩＤを登録している場合、無線制御部１２は、登録済みの受信機２０のサーチを開始する（Ｓ８）。
【００７２】
無線制御部１２は、受信機２０のサーチにおいて、電波を検出したか否かを判別する（Ｓ９）。
【００７３】
電波が検出された場合、制御部１５は、検出された電波に含まれるＩＤが受信機２０のＩＤであるか否かを判別する（Ｓ１０）。
【００７４】
受信機２０のＩＤである場合、制御部１５は、Ｓ１０においてＩＤが取得された受信機が、登録済みの受信機２０であるか否かを判別する（Ｓ１１）。この判別は、前述したＩＤ（図３（Ｂ）参照）のうち、例えば、受信機２０固有の識別ＩＤが一致するか否かによって行われる。
【００７５】
登録済みの受信機２０であった場合、制御部１５は、検出された登録済みの受信機２０からのＣＣＨ通信スロットを用いて送信されるＣＣＨデータに基づいて同期するように、同期捕捉する（Ｓ７）。この後、マイク１０は、通話の待機状態、つまり同期捕捉状態を維持する。
【００７６】
図４に示した登録動作によれば、マイク１０の操作者は、マイク１０を受信機２０に登録する動作を任意に行うことができる。また、受信機２０であることを確認してマイク１０が登録されるので、ＤＥＣＴ＿ＡＰ３０への誤登録を回避できる。また、受信機２０であるか否かの確認が、最初に必ず確認するＩＤのグループＩＤによって確認できるため、送信されるデータの本体（ＣＣＨデータ）を確認する場合と比較して対象となる受信機２０を早期に捕捉でき、受信機との同期を早期にとれる。
【００７７】
マイク１０は、持ち運び可能な携帯型である場合、例えば教室間で移動されることが想定される。また、マイク１０は、故障により交換されることが想定される。例えば、異なる教室にマイク１０が移動された場合には、他の拡声システム５０における受信機２０に対して、登録動作が行われる。これにより、他の教室内でも簡単に使用できる。なお、この場合、マイク１０は、新しい受信機２０のＩＤのみを記憶し、以前に記憶していた受信機２０のＩＤは消去する。
【００７８】
一方、ＤＥＣＴ＿ＡＰ３０は、例えば固定的に設置され、ＤＥＣＴ＿ＡＰ３０には不図示のＰＣ（Ｐｅｒｓｏｎａｌ  Ｃｏｍｐｕｔｅｒ）が接続可能である。業者は、例えば、ＰＣを用いてＤＥＣＴ＿ＡＰ３０を操作し、受信機２０及びＤＥＣＴ＿ＡＰ３０の間の登録動作を一括で行う。
【００７９】
次に、マイク１０、受信機２０及びＤＥＣＴ＿ＡＰ３０の間の通信に用いられるスロットの構成例について説明する。
【００８０】
（待機時）
図５は、待機時のスロットの構成例を示すタイミングチャートである。待機時とは、例えば、実データ（例えば、音声データ）を通信しておらず、制御データ（例えばＣＣＨデータ）が通信されている期間である。ここでの画像は、例えば静止画又は動画を含む。
【００８１】
図５では、１フレーム（１周期、例えば１０ｍｓｅｃ）は、１２個のスロットを含んで構成される。１フレームのスロットでは、送信スロットと受信スロットとが周期的に反復し、６スロットずつ連続して出現する。
【００８２】
例えば、ＤＥＣＴ＿ＡＰ３０及び受信機２０では、１フレームのうち、前半の６個のスロットが送信スロット期間（送信フレーム）に当たり、後半の６個のスロットが受信スロット期間（受信フレーム）に当たる。
【００８３】
例えば、マイク１０では、１フレームのうち、前半の６個のスロットが受信スロット期間（受信フレーム）に当たり、後半の６個のスロットが送信スロット期間（送信フレーム）に当たる。
【００８４】
尚、受信スロット期間及び送信スロット期間は、各々逆でも良い。また、ＤＥＣＴ＿ＡＰ３０及び受信機２０は、フレーム毎に、所定のスロットを用いて、ＣＣＨデータを送信する。
【００８５】
尚、以降のタイミングチャートの説明は、通信チャネルが１つであることを想定しているが、複数のチャネル（周波数帯域）がある場合も同様に行う。
【００８６】
ＤＥＣＴ＿ＡＰ３０では、無線制御部３２は、各周期の所定スロット（例えば第１スロット）で、ＣＣＨデータを受信機２０に送信する。ＣＣＨデータが通信されるスロットを、ＣＣＨ通信スロットともいう。ＤＥＣＴ＿ＡＰ３０からのＣＣＨデータのヘッダには、例えば、ＤＥＣＴ＿ＡＰ３０のＩＤと、ＣＣＨデータが通信されるスロット番号の情報と、が含まれる。ＤＥＣＴ＿ＡＰ３０から送信されるＣＣＨデータは、各受信機２０により受信される。従って、各受信機２０では、無線制御部２２は、ＣＣＨデータのヘッダを参照することで、ＤＥＣＴ＿ＡＰ３０からのＣＣＨデータであることを認識できる。
【００８７】
受信機２０では、無線制御部２２は、ＤＥＣＴ＿ＡＰ３０からＣＣＨデータを受信するために、ＣＣＨデータを受信するまで、全てのフレームのスロットを受信スロットにする。例えば、無線制御部２２は、電源が投入されると、全てのスロットを受信スロットにし、ＤＥＣＴ＿ＡＰ３０からのデータ（ＣＣＨデータを含む）を確認する。
【００８８】
無線制御部２２は、例えば、制御部２５内の記憶部２５ａ，２５ｂが記憶するＩＤを参照し、登録されていないＩＤを持つ装置からの電波（ＤＥＣＴ＿ＡＰ３０からと推定される電波）によって同期をとる。即ち、無線制御部２２は、ＤＥＣＴ＿ＡＰ３０との間でフレーム（送信フレーム及び受信フレーム）の同期をとる。
【００８９】
無線制御部２２は、ＤＥＣＴ＿ＡＰ３０がＣＣＨデータを送信するスロットを、受信スロットにする。例えば、ＣＣＨデータがフレーム毎の最初のスロットで通信される場合、無線制御部２２は、本来は送信スロットである１フレーム毎の最初のスロット（第１スロット）を、受信スロットに反転する。これにより、ＤＥＣＴ＿ＡＰ３０からのＣＣＨデータを定期的に受信できる。
【００９０】
受信機２０では、無線制御部２２は、各周期の第１スロットでＤＥＣＴ＿ＡＰ３０からＣＣＨデータを受信すると、制御部２５が、ＤＥＣＴ＿ＡＰ３０との間で同期捕捉する。そして、無線制御部２２は、各周期の所定スロット（例えば第３スロット）で、ＣＣＨデータを送信する。受信機２０では、無線制御部２２は、所定スロットを、例えば、受信機２０の電源投入から１周期分の全スロットのデータを確認し、使用されていないスロットから選択してもよい。又は、所定スロットが予め定められていてもよい。
【００９１】
受信機２０のＣＣＨデータは、例えば、受信機２０配下のマイク１０（例えばマイク１０１１，１０１２に受信される。受信機２０のＣＣＨデータのヘッダには、例えば、受信機２０のＩＤと、このＣＣＨデータが通信されるスロット番号の情報と、が含まれる。
【００９２】
尚、受信機２０では、制御部１５は、例えば電源投入から１周期の後、送信に用いられないスロットでは、動作を停止（Ｎｏ  Ａｃｔｉｖｅ）状態としてもよい。
【００９３】
マイク１０では、無線制御部１２は、例えば、各周期の第３スロットで受信機２０からＣＣＨデータを受信し、制御部１５は、受信機２０との間で同期捕捉する。制御部１５は、例えば電源投入から１周期の後、送信に用いられないスロットでは、動作を停止（Ｎｏ  Ａｃｔｉｖｅ）状態としてもよい。
【００９４】
このように、ＤＥＣＴ＿ＡＰ３０は、例えば、マイクシステム５の全体の同期（タイミング）をとるために、送信スロット期間の第１スロットで、ＣＣＨデータを送信する。例えば、ＤＥＣＴ＿ＡＰ３０１から送信されるＣＣＨデータは、同一グループ内の各受信機２０１〜２０ｎにより受信される（図１参照）。同様に、ＤＥＣＴ＿ＡＰ３０ｎから送信されるＣＣＨデータは、同一グループ内の各受信機２ｎ１〜２ｎｎにより受信される（図１参照）。
【００９５】
ＤＥＣＴ＿ＡＰ３０、受信機２０及びマイク１０は、同期して動作する。つまり、ＤＥＣＴ＿ＡＰ３０の下で、受信機２０及びマイク１０は同期する。これにより、１つの教室内での複数の機器間での無線干渉を低減でき、無線リソースを有効活用できる。また、受信機２０毎に送信スロットを異なるスロットとすることで、他の教室の受信機２０やマイク１０との通信の干渉も低減でき、無線リソースを有効活用できる。
【００９６】
また、各機器が時分割で通信することで、通信が多少遅延した場合でも、例えば限られたスロット（例えば１スロット分）において通信エラーが発生し、他のスロットに通信エラーが発生せず、他のスロットへの影響を低減できる。つまり、通信干渉の発生の影響を低減できる。
【００９７】
また、例えば各教室に設置された受信機２０毎に、受信機２０が用いるＣＣＨ通信スロットを異なるスロットにする場合、ＣＣＨ通信スロットにおける通信干渉を低減でき、ＤＥＣＴ＿ＡＰ３０が多くの受信機２０を管理できる。
【００９８】
次に、従来及び本実施形態のシステムにおいて通信されるＣＣＨデータの構成例について説明する。
【００９９】
図６（Ａ）〜（Ｃ）は、ＣＣＨデータの構成例を示す模式図ある。ＣＣＨデータは、各種制御データを含み、ＤＥＣＴ＿ＡＰ３０及び受信機２０によって送信される。
【０１００】
従来、ＤＥＣＴ通信するために、５つのＣＣＨデータを受信して受信機の情報を得ていた。図６（Ａ）は従来のコードレス電話システムにおいて用いられたＣＣＨデータを示す。図６（Ａ）では、１つのＣＣＨデータには、１つの制御データが含まれる。つまり、５つのスロットで、５つの制御データが通信される。尚、図６（Ａ）のＣＣＨデータには、実データが含まれていない。
【０１０１】
ＤＥＣＴを用いたコードレス電話において、図６（Ａ）のＣＣＨデータが用いられる場合、通常、コードレス電話子機は、常に電源が入っているため、一度同期捕捉が完了すると、同期を維持する。つまり、５つのスロットに分けてＣＣＨデータを受信し同期を行うことに時間がかかっても、電源を切らない限りその同期は維持され、コードレス電話機は必要なときにすぐ利用することができる。そのため、同期に時間がかかっても大きな支障はなく、むしろ消費電力低減の観点から、５つのスロットに分けて１回１回のデータの送信量を減らすようにしている。
【０１０２】
これに対して、マイク１０は、電源投入後すぐに使用することがある。しかしながら、マイクシステム５において図６（Ａ）のＣＣＨデータを用いる場合、５つの制御データを受信して受信機２０と同期することに時間がかかる。そのため、マイク１０の電源をオンにして即時に話し始めた場合、受信機２０との同期が完了していないため話し始めの音声が送信されない可能性がある。
【０１０３】
図６（Ｂ）は、マイクシステム５において用いられるＣＣＨデータを示す。図６（Ｂ）のＣＣＨデータには、５つの制御データが含まれる。つまり、１つのスロットで、５つの制御データが通信される。制御データは、識別情報（ＩＤ）、システム情報、サポート機能情報、マルチフレームマーカ情報を有する。システム情報は、例えば、例えば、周波数、送信スロット番号、及びスキャンキャリアの情報を含む。サポート機能情報は、例えば、送信可能キャリア及び利用サービスの情報を含む。マルチフレームマーカ情報は、例えば、マルチフレーム番号、スーパーフレーム同期の情報を含む。
【０１０４】
図６（Ｂ）のＣＣＨデータを用いる場合、図６（Ａ）と比較して同期に必要なデータを一括で受信することができるため、マイク１０の電源を入れてから受信機２０と同期する時間が短縮でき、電源を入れてからすぐに利用することができる。
【０１０５】
マイクシステム５では、マイク１０が１回のスロットで５つの制御データを含むＣＣＨデータを受信するので、マイク１０の同期捕捉を迅速化できる。従って、例えば、マイク１０の電源をオンにして即時に話し始めた場合でも、話し始めの音声が送信されない可能性を低減できる。つまり、従来の赤外線マイク等と同様の使い勝手を実現できる。
【０１０６】
図６（Ｃ）は、マイクシステム５において利用される、ＣＣＨデータとＴＣＨ（Ｔｒａｆｆｉｃ  Ｃｈａｎｎｅｌ：情報チャネル）データとが結合されたデータ（ＣＣＨ結合データ）を示す。ＣＣＨ結合データにおいて、ＴＣＨデータは、例えば、実データ（例えば音声データ）を含む。ＴＣＨデータは、情報データの一例である。
【０１０７】
ＣＣＨ結合データでは、１つの制御データと、実データ（例えば音声データ）を含む。例えば、受信機２０が無線接続可能な数（例えば２つ）のマイク１０と既に無線接続されている場合、受信機２０は、新たなマイク１０との間で改めて同期をとる必要がない。この場合、ＣＣＨデータが、ＣＣＨ結合データとされてもよい。これにより、実データを制御データとともに通信でき、通信効率を向上できる。
【０１０８】
このように、マイク１０と受信機２０との間、及び受信機２０とＤＥＣＴ＿ＡＰ３０との間で、スロットの同期をとるための制御データ（例えばＣＣＨデータ）は、各装置に対して一括で送信されてもよい。これにより、同期捕捉を迅速化でき、マイク１０を用いた話し始めのタイミングにおいて、音が途切れることを低減できる。
【０１０９】
また、例えば、受信機２０に同時に無線接続される複数のマイク１０のいずれかに対し、受信機２０は、ＣＣＨデータとＴＣＨデータとが結合されたＣＣＨ結合データを１つのスロットで送信してもよい。これにより、無線リソースを有効活用できる。
【０１１０】
次に、マイクシステム５のユースケースについて説明する。
【０１１１】
マイクシステム５のユースケースとして、例えば、教室拡声、簡易放送、インターカム、及びこれらのうちの少なくとも２つの組み合わせ、が考えられる。教室拡声では、教室内のマイク１０からの音声データが、スピーカ２７から教室内に流される。簡易放送では、管理者の発する音声、つまりマイク４８からの音声データが、各教室のスピーカ２７から流される。インターカムでは、例えば、教室内の操作者と管理者室の管理者との間での会話を可能とする。つまり、インターカムでは、教室内の受信機２０と管理者室のメインコントローラ４０との間で、音声データが送受信される。
【０１１２】
（教室拡声）
図７は、マイクシステム５が教室拡声を行う場合の音声データの流れの一例を示す模式図である。教室拡声が行われる場合、マイク１０は、登録された受信機２０をサーチし、受信機２０を検出し、受信機２０と無線接続する。例えば、マイク１０の操作者が操作表示部１８を介して教室拡声機能をオンに操作すると、マイク１０の拡声が開始される。つまり、マイク１０に入力された音声データが、スピーカ２７により音声出力される。図中、矢印ｈは、音声データの流れを示す。
【０１１３】
図８は、１本のマイク１０を用いて教室拡声する場合のスロット構成例を示すタイミングチャートである。
【０１１４】
例えば、マイク１０において、操作者が操作表示部１８を介して教室拡声機能をオンに操作すると（符号ｃ参照）、制御部１５は、教室拡声機能をオンにする。この場合、無線制御部１２は、所定のスロット（例えば５番目の送信スロット）において、受信機２０に対し、無線リンクの確立要求及び教室拡声の開始要求を送信する（符号ｄ参照）。無線リンクの確立要求及び教室拡声の開始要求は、ＴＣＨデータに含まれる。
【０１１５】
無線制御部１２は、この所定のスロットを、例えば、所定のアルゴリズムに従って、空きスロットをサーチすることで、又は、受信機２０からのＣＣＨデータに含まれるスロットの情報に応じて、決定する（以下同様）。
【０１１６】
受信機２０では、無線制御部２２は、所定のスロット（例えば５番目の受信スロット）において、無線リンクの確立要求及び教室拡声の開始要求を、マイク１０から受信する。無線制御部２２は、次の５番目の送信スロットにおいて、無線リンクの確立許可及び教室拡声の開始許可を、マイク１０に送信する（符号ｅ参照）。無線リンクの確立許可及び教室拡声の開始許可は、ＴＣＨデータに含まれる。
【０１１７】
無線制御部２２は、この所定のスロットを、例えば、所定のアルゴリズムに従って、空きスロットをサーチすることで決定する（以下同様）。
【０１１８】
マイク１０では、無線制御部１２は、所定のスロット（例えば５番目の受信スロット）において、無線リンクの確立許可及び教室拡声の開始許可を、受信機２０から受信する。無線制御部１２は、次の５番目の送信スロットにおいて、受信機２０に対し、マイク１０により収音された音声データを送信する（符号ｆ参照）。
【０１１９】
受信機２０では、無線制御部２２は、所定のスロット（例えば５番目の受信スロット）において、マイク１０からの音声データを受信する。音声処理部２３は、音声データを再生し、音声出力部２４は、スピーカ２７を介して拡声された音声を出力する（符号ｇ参照）。
【０１２０】
図８では、５番目の送信スロットを用いて、マイク１０から受信機２０に音声データが送信されている。このスロットのタイミングは、例えば、マイク１０が受信機２０に対し、無線リンクの確立要求を送信するタイミングにより決定される。マイク１０では、例えば、空きスロットを検出すると、検出された空きスロットを用いて、音声データの送信を繰り返す。
【０１２１】
図８に示した教室拡声によれば、拡声システム５０において、マイク１０により収音された音声を拡声できる。この場合、従来の赤外線マイクと同様の使い勝手で、消費電力を低減しつつ、受信機２０に対するマイク１０の同期捕捉を高速化して、データ品質を向上できる。
【０１２２】
図９は２本のマイク１０を用いて教室拡声する場合のスロット構成例を示すタイミングチャートである。図９では、図８と異なる点を主に説明する。なお、図９は、すでに２本のマイク１０の電源は投入済みであり、２本のマイク１０と受信機２０は同期した状態にある。
【０１２３】
図９では、２本のマイク１０として、マイク１０１１，１０１２が受信機２０に無線接続される場合を示す。２本のマイク１０が無線接続される場合、マイク１０１１からの音声データと、マイク１０１２からの音声データとは、異なるスロットを用いて通信される。
【０１２４】
受信機２０では、無線制御部２２は、所定のスロット（例えば３番目の送信スロット）において、ＣＣＨデータとマイク１０１２用のＴＣＨデータとが結合されたＣＣＨ結合データを送信する。このデータには、ＣＣＨデータが含まれているため、マイク１０１１、マイク１０１２の両方が受信し、データを確認する。受信機２０は、所定のスロット（例えば５番目の送信スロット）において、マイク１０１１用のＴＣＨデータを送信する。ＴＣＨデータの宛先（ヘッダに含まれる）は、マイク１０１１である。従って、このＴＣＨデータは、マイク１０１２では破棄される。
【０１２５】
マイク１０１１では、無線制御部１２は、所定のスロット（例えば３番目の受信スロット）において、ＣＣＨ結合データを受信する。無線制御部１２は、所定のスロット（例えば５番目の受信スロット）において、ＴＣＨデータを受信する。
【０１２６】
マイク１０１２では、無線制御部１２は、所定のスロット（例えば３番目の受信スロット）において、ＣＣＨ結合データを受信する。
【０１２７】
ここで、ＣＣＨ結合データのヘッダの宛先は、例えば、マイク１０１１，１０１２の２つである。ＣＣＨデータの部分は、制御データを含み、マイク１０１１，１０１２の双方によって確認される。ＣＣＨデータの部分は、制御データとして、例えば、ＴＣＨデータがマイク１０１２用であること、及び、マイク１０１２用の実データが送信されるスロットの識別情報（ここでは３番目の送信スロット）、を含む。ＴＣＨデータの部分は、マイク１０１２用の実データ（例えば音声データ）を含む。
【０１２８】
マイク１０１２では、無線制御部１２は、３番目の受信スロットにおいて受信されたＣＣＨ結合データのうち、ＣＣＨデータを確認する。無線制御部１２は、ＴＣＨデータの部分を確認し、ＴＣＨデータがマイク１０１２用であることを確認し、マイク１０１２用の実データを確認する。
【０１２９】
一方、マイク１０１１では、無線制御部１２は、３番目の受信スロットにおいて受信されたＣＣＨ結合データのうち、ＣＣＨデータを確認する。無線制御部１２は、ＴＣＨデータのヘッダ部分を確認し、ＴＣＨデータが自装置宛でないことを確認するので、マイク１０１２用の実データを確認しない。
【０１３０】
図９に示した教室拡声によれば、拡声システム５０において、マイク１０により収音された音声を拡声できる。この場合、従来の赤外線マイクと同様の使い勝手で、消費電力を低減しつつ、受信機２０に対するマイク１０の同期捕捉を高速化できる。また、例えば受信機２０へのマイク１０の接続数がフルである場合、ＣＣＨ結合データを用いることで、別々に送る場合と比較して通信に必要なスロットを半分にすることができるので、通信リソースを減らすことができ、通信効率を向上させることができる。
【０１３１】
尚、図９では、ＣＣＨ結合データを用いることを例示したが、ＣＣＨ結合データに含まれるＣＣＨデータ及びＴＣＨデータは、別々のスロットを用いて通信されてもよい。
【０１３２】
（簡易放送）
図１０は、マイクシステム５が簡易放送を行う場合の音声データの流れの一例を示す模式図である。図１０では、矢印ｉは、音声データの流れを示す。簡易放送では、例えば、メインコントローラ４０のマイク４８を用いて音声データが収音され、メインコントローラ４０からＤＥＣＴ＿ＡＰ３０を介して通信され、音声データが各教室のスピーカ２７から出力される。
【０１３３】
図１１は、簡易放送時のスロット構成例を示すタイミングチャートである。
【０１３４】
ＤＥＣＴ＿ＡＰ３０１では、無線制御部３２は、所定の受信スロットにおいて、メインコントローラ４０から、簡易放送の開始指示を受信する。
【０１３５】
各受信機２０１，・・・，２１ｎでは、無線制御部２２は、それぞれ、異なるスロットを用いて、下位のマイク１０１１〜１０１ｎ，・・・，１１ｎ１〜１１ｎｎに、ＣＣＨデータを送信する。これにより、多数の受信機２０１を１つのＤＥＣＴ＿ＡＰ３０が管理できる。
【０１３６】
メインコントローラ４０から簡易放送の開始が指示されると、ＤＥＣＴ＿ＡＰ３０１では、無線制御部３２は、ＣＣＨ通信スロットを用いて、簡易放送の対象である受信機２０１，２１１を指示し、同報データを送信するためのスロット（同報スロット）を指定する。ＣＣＨデータのヘッダには、例えば、簡易放送の対象となる受信機２０のＩＤ、簡易放送の通信に用いられるスロット番号が含まれる。同報データは、例えば、簡易放送で放送される実データ（例えば音声データ）を含む。
【０１３７】
図１１では、同報スロットは、例えば３番目の送信スロットが指定される。尚、図１１では、受信機２１ｎは簡易放送の対象として指定されていないことを例示する。
【０１３８】
簡易放送の対象の受信機２０１，２１１では、無線制御部２２は、３番目の送信スロットを受信スロットに反転させ、ＤＥＣＴ＿ＡＰ３０１から送信された音声データを受信する。受信機２０１，２１１の音声出力部２４は、再生された音声データを音声出力する。
【０１３９】
一方、簡易放送の対象となっていない受信機２１ｎでは、無線制御部２２は、３番目のスロットを送信スロットのままとし、ＤＥＣＴ＿ＡＰ３０１からの音声データを受信しない。
【０１４０】
ＤＥＣＴ＿ＡＰ３０１では、無線制御部３２は、３番目の受信スロットを送信スロットに反転させ、３番目の送信スロットと同様に、同報データを送信する。この場合、簡易放送の対象の受信機２０１，２１１では、無線制御部２２は、ＤＥＣＴ＿ＡＰ３１０の３番目の受信スロットに対応する受信スロットを反転させることなく、３番目の受信スロットで受信する。
【０１４１】
図１１に示した簡易放送によれば、同報データの送信スロットが２倍に増えるので、同じ同報データを２回送信することで、エラー耐性を向上できる。また、エラー耐性を上げる代わりに、次の同報データを送信することで、通信速度を２倍にしてもよい。また、同報データの送信スロットを更に増大することで、例えば、３倍、４倍に通信速度を向上させてもよい。
【０１４２】
尚、図１１では、簡易放送として例えば校内放送が想定されるので、受信機２０１等からデータを受信することは少ない。そのため、例えば、ＤＥＣＴ＿ＡＰ３０１の受信の回数（スロット数）を低減させても、影響は少ないと考えられる。
【０１４３】
図１２は、図１１に示した簡易放送時の同報スロットの補足例を示すタイミングチャートである。
【０１４４】
図１２では、２つのスロット（例えば、３番目の送信スロット及び３番目の受信スロットが反転された送信スロット）を用いて、同じ音声データを送信する。これにより、エラー耐性を向上できる。
【０１４５】
また、２つのスロットを用いて同じ音声データを送信する場合、例えば、音声データが送信されるフレームを完全に一致させるか、音声データが送信されるフレームを半分ずらして半分を重複させるか、が考えられる。図１２では、後者が選択されており、１つのフレームにおける音声データの半分は、隣接するフレームの音声データの半分と重複している。一部を重複させることで、通信遅延を低減できる。
【０１４６】
このように、メインコントローラ４０がＤＥＣＴ＿ＡＰ３０を介して複数の受信機２０に対して同報通信する場合、受信機２０が、一部の送信スロットを同報通信用の受信スロットに変更してもよいし、ＤＥＣＴ＿ＡＰ３０が、一部の受信スロットを同報通信用の送信スロットに変更してもよい。これにより、同報通信（例えば簡易放送）する場合に、データの通信量を増大でき、通信効率を向上できる。
【０１４７】
例えば、ＤＥＣＴ＿ＡＰ３０から受信機２０へと送信可能なデータ量が増大するので、同じデータを複数回（例えば２回）送信することで、エラー耐性を向上できる。また、異なるデータを複数回（例えば２回）送信することで、通信速度を向上できる。
【０１４８】
図１３は、簡易放送時の他のスロット構成例を示すタイミングチャートである。図１３では、図１１と異なる点を主に説明する。
【０１４９】
ＤＥＣＴ＿ＡＰ３０では、無線制御部３２は、受信フレームにおいて、所定のスロット（例えば１番目の受信スロット）を送信スロットに反転させ、反転された送信スロットと１番目の送信スロットとの２つの送信スロットを用いて、同報データを送信する。これにより、送信される実データのデータ量が２倍になる。
【０１５０】
また、ＤＥＣＴ＿ＡＰ３０では、無線制御部３２は、１番目の送信スロットで、ＣＣＨ結合データを送信する。このＣＣＨ結合データは、ＣＣＨデータとＴＣＨデータとを含み、ＴＣＨデータは、実データ（例えば音声データ）を含む。これにより、スロットの活用効率が向上し、無線リソースを有効に活用できる。
【０１５１】
図１３に示した簡易放送によれば、同報データの送信スロットが２倍に増えるので、図１１の場合と同様に、エラー耐性を向上でき、又は通信速度を向上できる。また、簡易放送にＣＣＨ結合データを用いることで、更に通信効率を向上できる。
【０１５２】
（インターカム）
図１４は、マイクシステム５がインターカムを行う場合の音声データの流れの一例を示す模式図である。図１４では、矢印ｊは、音声データの流れを示す。インターカムでは、メインコントローラ４０のマイク４８により収音された音声データがＤＥＣＴ＿ＡＰ３０を経由して、受信機２０のスピーカ２７から音声出力される。また、インターカムでは、マイク１０により収音された音声データが受信機２０及びＤＥＣＴ＿ＡＰ３０を経由して、メインコントローラ４０のスピーカ４７から音声出力される。このように、インターカムでは、簡易放送と比べると、マイク１０からメインコントローラ４０に音声データが伝送される、上りのデータ通信が行われる。
【０１５３】
図１５は、インターカム時のスロット構成例を示すタイミングチャートである。
【０１５４】
ＤＥＣＴ＿ＡＰ３０では、無線制御部３２は、所定の受信スロットにおいて、メインコントローラ４０からインターカムの開始指示を受信する（符号ｐ１参照）。
【０１５５】
インターカムの開始指示を受信すると、無線制御部３２は、例えば、受信機２０に対し、ＣＣＨ通信スロット（例えば６番目の送信スロット）を用いて、インターカム開始を指示する（符号ｐ２参照）。
【０１５６】
受信機２０では、無線制御部２２は、インターカムの開始指示を受信すると、例えば、音声出力部２４は、スピーカ２７から音声出力することで、インターカム着信を報知する（符号ｐ３参照）。
【０１５７】
マイク１０では、例えば、操作表示部１８が、インターカム着信の報知を確認した操作者から、インターカムの応答操作を受け付ける（符号ｐ４参照）。この場合、無線制御部１２は、所定のスロット（例えば３番目の送信スロット）を用いて、受信機２０との間で無線リンクを確立する（符号ｐ５参照）。
【０１５８】
受信機２０では、無線制御部２２は、インターカム着信の報知後、所定のスロット（例えば５番目の送信スロット）を用いて、ＤＥＣＴ＿ＡＰ３０との間で無線リンクを確立する。（符号ｐ６参照）。
【０１５９】
従って、操作者がマイク１０に向かって話すと、マイク１０と受信機２０との間、及び受信機２０とＤＥＣＴ＿ＡＰ３０との間で確立された無線リンクを経由して、メインコントローラ４０に音声データが伝送される。
【０１６０】
例えば、マイク１０では、無線制御部１２は、３番目の送信スロットで、受信機２０との間で無線リンクを確立し、受信機２０に音声データを送信する（符号ｐ７参照）。
【０１６１】
例えば、受信機２０では、無線制御部２２は、５番目の受信スロットを反転させて送信スロットとし、ＤＥＣＴ＿ＡＰ３０との間で無線リンクを確立し、ＤＥＣＴ＿ＡＰ３０に音声データを送信する（符号ｐ８参照）。この音声データは、ＤＥＣＴ＿ＡＰ３０からメインコントローラ４０へ伝送され、スピーカ４７から音声出力される。
【０１６２】
また、管理者がマイク４８に向かって話すと、受信機２０とＤＥＣＴ＿ＡＰ３０との間、及びマイク１０と受信機２０との間で確立された無線リンクを経由して、受信機２０に音声データが伝送される。
【０１６３】
例えば、ＤＥＣＴ＿ＡＰ３０では、無線制御部３２は、５番目の送信スロットを用いて、メインコントローラ４０からの音声データを受信し、受信された音声データを受信機２０に送信する。
【０１６４】
例えば、受信機２０では、無線制御部２２は、５番目の送信スロットを反転させて受信スロットとし、ＤＥＣＴ＿ＡＰ３０から音声データを受信する。音声出力部２４は、受信された音声をスピーカ２７から出力する。
【０１６５】
図１５に示したインターカムによれば、受信機２０のスロットが適宜反転されることで、ＤＥＣＴ＿ＡＰ３０と受信機２０とは、相互に、フレーム毎に同じスロットを用いて、実データを送受信できる。また、ＤＥＣＴ＿ＡＰ３０と受信機２０とは、相互に、フレーム毎に同じスロットを用いて、実データを送受信できる。従って、マイクの消費電力を低減し、データ品質を向上させて、インターカムを実現できる。
【０１６６】
（教室拡声中の簡易放送）
図１６は、教室拡声中の簡易放送の流れの一例を示すシーケンス図である。
【０１６７】
マイク１０と受信機２０とが教室拡声中に（Ｔ１）、メインコントローラ４０が、ＤＥＣＴ＿ＡＰ３０に簡易放送開始を指示したとする（Ｔ２）。この場合、ＤＥＣＴ＿ＡＰ３０は、受信機２０に対し、簡易放送の開始を指示し、簡易放送対象の受信機２０を指示し、同報スロットを指示する（Ｔ３）。
【０１６８】
受信機２０は、簡易放送の開始の指示、簡易放送対象の受信機２０の指示、及び同報スロットの指示を受け取ると、スピーカ２７から簡易放送開始を報知し、簡易放送のデータを受信する準備を行う（Ｔ４）。具体的には、受信機２０の制御部２５は、教室拡声を中断させ、音声処理部２３によるマイク１０からの音声データの再生を中止する。
【０１６９】
そして、受信機２０の制御部２５が、教室拡声から簡易放送の動作モードに遷移させる。受信機２０は、メインコントローラ４０からＤＥＣＴ＿ＡＰ３０を介して音声データを受信すると（Ｔ５，Ｔ６）、簡易放送の音声データの出力を開始する（Ｔ７）。
【０１７０】
受信機２０は、メインコントローラ４０からＤＥＣＴ＿ＡＰ３０を介して簡易放送の終了指示を受信すると（Ｔ８，Ｔ９）、スピーカ２７から簡易放送の終了を報知し、簡易放送に係るデータの受信を停止する（Ｔ１０）。
【０１７１】
そして、受信機２０の制御部２５が、簡易放送から教室拡声の動作モードに遷移させる。受信機２０は、簡易放送の終了指示を受信すると、教室拡声を復帰させる、つまり、マイク１０からの音声データの再生を再開する。従って、マイク１０と受信機２０とを用いて、教室拡声が再度行われる（Ｔ１１）。
【０１７２】
（教室拡声から簡易放送に遷移）
図１７は、教室拡声から簡易放送に遷移する場合のスロット構成例を示すタイミングチャートである。図１７に示す教室拡声では、マイク１０の５番目の送信スロットと、受信機２０の５番目の受信スロットと、が使用されている。
【０１７３】
教室拡声中に、ＤＥＣＴ＿ＡＰ３０は、メインコントローラ４０からＬＡＮケーブル３５０を介して簡易放送の開始指示を受けると（符号ｑ１参照）、１番目のＣＣＨ通信スロットで、受信機２０に対し、簡易放送対象の受信機２０、及び同報スロットを指示する（符号ｑ２参照）。
【０１７４】
受信機２０は、１番目の送信スロットを受信スロットに反転させ、反転されたスロットで、簡易放送対象の受信機２０及び同報スロットの指示を受けると、動作モードを遷移させて簡易放送を開始し、教室拡声を中断する（符号ｑ３参照）。
【０１７５】
簡易放送が開始されると、ＤＥＣＴ＿ＡＰ３０は、例えば、６番目の送信スロット、及び６番目の受信スロットを反転させた送信スロットを同報スロットとして用い、音声データを受信機２０に送信する。つまり、ＤＥＣＴ＿ＡＰ３０は、２つの同報スロットを用いて、音声データを受信機２０に送信する（符号ｑ４，ｑ５参照）。
【０１７６】
受信機２０は、例えば、６番目の送信スロットを反転させた受信スロット、及び６番目の受信スロットを同報スロットとして用い、同報通信の音声データを受信する。受信機２０は、受信された音声データを、スピーカ２７から出力する。
【０１７７】
尚、受信機２０は、教室拡声で使用されていた５番目の受信スロットで、マイク１０からの音声データを受信するが、スピーカ２７から出力しない（符号ｑ６参照）。
【０１７８】
（簡易放送から教室拡声に復帰）
図１８は、簡易放送から教室拡声に復帰する場合のスロット構成例を示すタイミングチャートである。図１８の処理は、例えば、図１７の処理の後に実行されてもよいし、単に簡易放送から教室拡声に遷移する場合に実行されてもよい。
【０１７９】
ＤＥＣＴ＿ＡＰ３０は、例えば、６番目の送信スロット、及び６番目の受信スロットを反転させた送信スロットを用いて、同報通信（簡易放送）の音声データを送信中、メインコントローラ４０から簡易放送の終了指示を受ける（符号ｑ７参照）。
【０１８０】
ＤＥＣＴ＿ＡＰ３０は、例えば、１番目の送信スロットで、簡易放送の終了指示を受信機２０に送る。受信機２０は、１番目の送信スロットを反転させた受信スロットで、簡易放送終了の指示を受け付けると、簡易放送を終了し、動作モードを遷移させて教室拡声を復帰させる（符号ｑ８参照）。
【０１８１】
教室拡声が復帰すると、マイク１０は、例えば、５番目の受信スロットを用いて、受信機２０へ音声データを送信する。受信機２０は、例えば、５番目の受信スロットでマイク１０から音声データを受信すると、音声データを再生してスピーカ２７から音声出力する（符号９参照）。
【０１８２】
このように、受信機２０の制御部２５が、教室拡声から簡易放送に動作モードを遷移させ、又は簡易放送から教室拡声に動作モードを遷移させることで、受信機２０内での処理方法を適宜変更して、データを処理できる。
【０１８３】
（教室拡声中のインターカム）
図１９は、教室拡声中のインターカムの流れの一例を示すシーケンス図である。
【０１８４】
マイク１０と受信機２０とが教室拡声中に（Ｔ２１）、メインコントローラ４０が、ＤＥＣＴ＿ＡＰ３０にインターカム開始を指示したとする（Ｔ２２）。この場合、ＤＥＣＴ＿ＡＰ３０は、受信機２０に対し、インターカムの開始を指示し（Ｔ２３）、メインコントローラ４０との間で音声リンクを確立する（Ｔ２４，Ｔ２６）。音声リンクは、無線リンクの一例である。
【０１８５】
受信機２０は、インターカムの開始の指示を受けると、制御部２５が、教室拡声からインターカムの動作モードに遷移する。受信機２０は、スピーカ２７からインターカム着信を報知し、ＤＥＣＴ＿ＡＰ３０との間で音声リンクを確立する（Ｔ２５，Ｔ２７）。そして、受信機２０は、教室拡声を中断させ、マイク１０からの音声データの再生を中止する。
【０１８６】
マイク１０は、操作者からインターカム着信に対する応答を受け付けると（Ｔ２８）、マイク１０の音声データを受信機２０に送信する（Ｔ２９）。
【０１８７】
受信機２０は、メインコントローラ４０から音声リンクを経由して受信された音声データを再生し、メインコントローラ４０からの音声データの出力を開始する（Ｔ３０）。
【０１８８】
受信機２０は、ＤＥＣＴ＿ＡＰ３０からの音声データを再生して、スピーカ２７から音声出力し、マイク１０からの音声データをＤＥＣＴ＿ＡＰ３０に送信する（Ｔ３０）。
【０１８９】
メインコントローラ４０は、ＤＥＣＴ＿ＡＰ３０からマイク１０の音声データを受信し、スピーカ４７から音声出力する。
【０１９０】
メインコントローラ４０は、例えば、操作部（不図示）を介して管理者からインターカムの終了指示を受け付けると、インターカム終了指示をＤＥＣＴ＿ＡＰ３０に送信する（Ｔ３１）。
【０１９１】
ＤＥＣＴ＿ＡＰ３０は、インターカムの終了指示を受信機２０に送信し（Ｔ３２）、メインコントローラ４０との音声リンクを切断する（Ｔ３３）。
【０１９２】
受信機２０は、インターカムの終了指示を受信すると、制御部２５は、インターカムから教室拡声の動作モードに遷移する。この場合、受信機２０は、スピーカ２７からインターカム終了を報知し、ＤＥＣＴ＿ＡＰ３０との音声リンクを切断する（Ｔ３４）。
【０１９３】
そして、受信機２０は、教室拡声を復帰させる、つまり、マイク１０からの音声データを再生して、スピーカ２７から音声出力する。これにより、マイク１０と受信機２０とは、教室拡声中となる（Ｔ３５）。
【０１９４】
（教室拡声からインターカムに遷移）
図２０は、教室拡声からインターカムに遷移する場合のスロット構成例を示すタイミングチャートである。図２０に示す教室拡声では、マイク１０の５番目の送信スロットと、受信機２０の５番目の受信スロットと、が使用されている。
【０１９５】
教室拡声中に、ＤＥＣＴ＿ＡＰ３０は、メインコントローラ４０からインターカムの開始指示を受けると（符号ｒ１参照）、１番目のＣＣＨ通信スロットで、受信機２０に対し、インターカムの開始指示を送信する（符号ｒ２参照）。
【０１９６】
受信機２０は、１番目の送信スロットを受信スロットに反転させ、反転されたスロットで、インターカムの開始指示を受ける。受信機２０は、例えば、２番目の受信スロットを送信スロットに反転させ、反転されたスロットを用いて、ＤＥＣＴ＿ＡＰ３０との間で音声リンクを確立する（符号ｒ３参照）。
【０１９７】
マイク１０は、操作者からのインターカムの応答操作を受け付けると（符号ｒ４参照）、例えば５番目の送信スロットで、受信機２０に応答を送信する（符号ｒ５参照）。受信機２０は、５番目の受信スロットを用いてインターカムの応答を受信すると、教室拡声を中断し、動作モードを遷移させてインターカムを開始する。受信機２０は、例えば２番目の受信スロットが反転された送信スロットで、ＤＥＣＴ＿ＡＰ３０に応答を送信する（符号ｒ６参照）。
【０１９８】
ＤＥＣＴ＿ＡＰ３０は、例えば２番目の受信スロットで、受信機２０からのインターカムの応答を受信すると、マイク１０からの音声データをメインコントローラ４０に送信する。メインコントローラ４０は、マイク１０からの音声データを受信すると、スピーカ４７から音声出力する。
【０１９９】
ＤＥＣＴ＿ＡＰ３０は、例えば２番目の送信スロットで、メインコントローラ４０からの音声データを受信機２０に送信する（符号ｒ７参照）。受信機２０は、例えば２番目の送信スロットが反転された受信スロットで、メインコントローラ４０からの音声データを受信し、スピーカ２７から音声データを音声出力する。
【０２００】
（インターカムから教室拡声に復帰）
図２１は、インターカムから教室拡声に復帰する場合のスロット構成例を示すタイミングチャートである。図２１の処理は、例えば、図２０の処理の後に実行されてもよいし、単にインターカムから教室拡声に遷移する場合に実行されてもよい。
【０２０１】
受信機２０は、例えば２番目の送信スロットが反転された受信スロットで、メインコントローラ４０からの音声データを受信し、スピーカ２７から、受信された音声データを音声出力する（符号ｕ１参照）。
【０２０２】
受信機２０は、例えば２番目の受信スロットが反転された送信スロットで、マイク１０からの音声データをＤＥＣＴ＿ＡＰ３０に送信する（符号ｕ２参照）。
【０２０３】
ＤＥＣＴ＿ＡＰ３０は、メインコントローラ４０に、マイク１０からの音声データを送信する。メインコントローラ４０は、マイク１０からの音声データを受信すると、スピーカ４７から、受信された音声データを音声出力する。
【０２０４】
受信機２０は、例えば２番目の送信スロットが反転された受信スロットで、ＤＥＣＴ＿ＡＰ３０から、メインコントローラ４０によるインターカムの終了指示を受信する（符号ｕ３参照）。この場合、受信機２０は、スピーカ２７からインターカムの終了を報知し、インターカムを終了する。受信機２０は、例えば５番目の受信スロットで、動作モードを遷移させて教室拡声を復帰させる（符号ｕ４参照）。
【０２０５】
このように、受信機２０の制御部２５が、教室拡声からインターカムに動作モードを遷移させ、又はインターカムから教室拡声に動作モードを遷移させることで、受信機２０内での処理方法を適宜変更して、データを処理できる。
【０２０６】
特許文献１に記載された赤外線マイクシステムでは、赤外線が教室の壁を越えられないので、教室毎に受信機、制御装置等を用意する必要があった。また、教室毎にケーブルを引き回す必要があった。
【０２０７】
これに対し、マイクシステム５では、各機器が赤外線を用いない無線通信を行うことで、異なる教室間でも通信できる。ここでは、受信機２０は、子機用のＩＤを用いてＤＥＣＴ＿ＡＰ３０との間でＤＥＣＴ等の無線方式で通信し、親機用のＩＤを用いてマイク１０との間でＤＥＣＴ等の無線方式で通信し、音声データ等を通信する。
【０２０８】
また、ＤＥＣＴ＿ＡＰ３０を設けることで、従来、各教室とメインコントローラを繋いでいた配線（例えばＬＡＮケーブル）を低減できる。従って、例えば、教室間の配線が不要になり、配線工事費を削減できる。
【０２０９】
また、受信機２０が親機用のＩＤと子機用のＩＤとを双方保持することで、マイク１０、受信機２０、及びＤＥＣＴ＿ＡＰ３０の間の通信を、簡易な構成で実現できる。また、マイク１０は、ＤＥＣＴ＿ＡＰ３０と受信機２０との両方に接続できる。つまり、受信機２０は、送信及び受信を行い、中継機としても機能する。
【０２１０】
また、ＤＥＣＴ等の無線方式で通信するので、従来の赤外線を用いて通信する場合と比べ、例えば、外光による通信の遮断が低減され、教室の壁を介して通信できる。
【０２１１】
また、例えば、受信機２０が、教室内に１台設置され、ＤＥＣＴ＿ＡＰ３０が、複数の受信機に対し、教室外の廊下等に１台設置されてもよい。これにより、１台の受信機２０に対して１台のＤＥＣＴ＿ＡＰ３０が設置される場合と比較すると、マイクシステム５の構成を簡単化できる。
【０２１２】
また、受信機２０は、ＤＥＣＴ＿ＡＰ３０からの指示に応じて動作モードを遷移することで、様々なユースケース（例えば拡声、インターカム、簡易放送、又はこれらの組み合わせ）において、マイクシステム５を活用できる。
【０２１３】
以上、図面を参照しながら各種の実施形態について説明したが、本発明はかかる例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【０２１４】
上記実施形態では、マイク及び受信機間、受信機及びＤＥＣＴ＿ＡＰ間において、それぞれＤＥＣＴの無線方式で接続することを主に例示した。マイク及び受信機間、受信機及びＤＥＣＴ＿ＡＰ間では、ＤＥＣＴ以外の無線方式（例えば、無線ＬＡＮ、２．４ＧＨｚ帯デジタルコードレス、ＰＨＳ）で無線接続され、無線通信されてもよい。
【０２１５】
上記実施形態では、マイク１０が受信機２０との間で通信することを主に例示したが、マイク１０がＤＥＣＴ＿ＡＰ３０との間で通信してもよい。例えば、マイク１０は、受信機２０がビジーである場合に、ＤＥＣＴ＿ＡＰ３０に直接接続してもよい。
【０２１６】
上記実施形態では、受信機２０が用いるスロットが反転されることを主に例示したが、ＤＥＣＴ＿ＡＰ３０が用いるスロットが反転されてもよい。ＤＥＣＴ＿ＡＰ３０のスロットの反転は、無線制御部３２により行われる。
【０２１７】
上記実施形態では、データを送信する送信機としてマイク１０を主に例示したが、送信機（例えば画像データ、映像データを含むデータを送信するカメラ）でもよい。カメラは、例えばシャッタ付きでもよい。シャッタ付きのカメラを設けることで、例えば、教室内のセキュリティ及びプライバシーを確保できる。
【０２１８】
なお、上記実施形態では、実データを音声データとしているが、画像データ、映像データ等であってもよい。
【産業上の利用可能性】
【０２１９】
本発明は、空間的に仕切られた異なる領域に設置された機器間の通信を簡易な構成で実現できる無線通信システム及び受信機等に有用である。
【符号の説明】
【０２２０】
０１、１ｎ、ｎｎ  教室
５  マイクシステム
１０、１０１１、１０１ｎ、１１ｎ１、１１ｎｎ、１ｎｎ１、１ｎｎｎ  マイク
１１、２１  アンテナ
１２、２２、３２  無線制御部
１３、２３、４３  音声処理部
１４  音声入力部
１５  制御部
１５ａ、２５ａ、２５ｂ、３５ａ、３５ｂ  記憶部
１８  操作表示部
１８ａ  登録ボタン
１８ｂ  通話ボタン
１８ｃ  ＬＥＤ
２０、２０１、２１ｎ、２ｎｎ  受信機
２４、４４  音声出力部
２５、２５Ａ、２５Ｂ、３５、３５Ａ、３５Ｂ  制御部
２６、４６  アンプ
２７、４７  スピーカ
２８  操作部
３０、３０１、３０ｍ  ＤＥＣＴ＿ＡＰ
３８  ネットワークＩ／Ｆ
４０  メインコントローラ
４８  マイク
５０  拡声システム
３５０  ＬＡＮケーブル
【図１】
2015162899.tif 000003
【図２】
2015162899.tif 000004
【図３】
2015162899.tif 000005
【図４】
2015162899.tif 000006
【図５】
2015162899.tif 000007
【図６】
2015162899.tif 000008
【図７】
2015162899.tif 000009
【図８】
2015162899.tif 000010
【図９】
2015162899.tif 000011
【図１０】
2015162899.tif 000012
【図１１】
2015162899.tif 000013
【図１２】
2015162899.tif 000014
【図１３】
2015162899.tif 000015
【図１４】
2015162899.tif 000016
【図１５】
2015162899.tif 000017
【図１６】
2015162899.tif 000018
【図１７】
2015162899.tif 000019
【図１８】
2015162899.tif 000020
【図１９】
2015162899.tif 000021
【図２０】
2015162899.tif 000022
【図２１】
2015162899.tif 000023